(57)【要約】      （修正有）【課題】自在に組合せることができるブラジャーの部材を設計し、自由にデザインも設計して、しかも違和感がないように着用できる組合式ブラジャーを提供する。【解決手段】左右一対のカップ、左右カップの前部を連結する装飾物、カップの側面布を連結しているアンダーベルト、アンダーベルトの他の一端がお互いに連結していない背面フック、２本のカップ上側とアンダーベルトを連結する肩紐を含み、肩紐に長さの調整補助部材を設ける。前記各部材同士は取り替え可能な構造によって連結する。２本の円弧状のワイヤは、カップの周縁内に挿入され、多様化、快適化、安定化等長所を備えている。【選択図】図１
0003144003.tif 000002
【実用新案登録請求の範囲】
【請求項１】
組合式のブラジャーであって、それは、
左右一対のカップ（1）、
左右カップの前胸部分を連結する装飾物（2,21）、
カップの側面布を連結しているアンダーベルト（3）、アンダーベルトの他の一端がお互いに連結する背面フック（5）を設けて、
カップ上側とアンダーベルトを連結する肩紐（4）を含み、肩紐に長さを調整する補助部材（41）を設けて、
前記各部材間が取り替え可能な構造によって連結され、
左右一対のカップの下縁に弧状のワイヤを入られるための溝構造（16）を設けることを特徴とする。
【請求項２】
前記の背面フック（5）は、２部分を含み、それぞれ２本のアンダーベルト（3）と連結することを特徴とする請求項１に記載の組合式のブラジャー。
【請求項３】
前記のアンダーベルト（3）は、下側の弾性ベルト（32）と上側折畳ベルト（31）を含むことを特徴とする請求項１に記載の組合式のブラジャー。
【請求項４】
前記の装飾物（2,21）は、正面の装飾構造と背面のW字状のフック（22）を含み、二つのカップの前胸部分は、フック具（12）を設けてW字状のフック（22）と連結することを特徴とする請求項１に記載の組合式のブラジャー。
【請求項５】
前記アンダーベルト（3）と左右の一対カップ（1）との間、肩紐（4）とアンダーベルト（3）及び左右の一対カップ（1）との間は、"９" 字状のフック（7，8）によって連結することを特徴とする請求項１に記載の組合式のブラジャー。
【請求項６】
前記"９" 字状のフック（7，8）の環状部分（81）は三角形を呈して、内側には隔離凸部（83）を設けて、フック尾端は、鉤形のフック（84）を設けることを特徴とする請求項５に記載の組合式のブラジャー。
【請求項７】
前記"９" 字状のフック（7，8）は、フック部（82）と相対する環状部分（81）の外側が凸部（85）を設けることを特徴とする請求項５に記載の組合式のブラジャー。
【請求項８】
前記背面フック（5）における2部分の間及び背面フックとアンダーベルト（3）の間は、並列な引っ掛けフック（35，55）と引っ掛けループ（53，54）で連結することを特徴とする請求項２に記載の組合式のブラジャー。
【請求項９】
前記背面フック（5）の一部分が引っ掛けフックを設け、他の一部が２列以上の引っ掛けループを設けて当該フックと互いに連結することを特徴とする請求項６に記載の組合式のブラジャー。
【請求項１０】
それは、二本の弧状のワイヤ（６）を含むことを特徴とする請求項１に記載の組合式のブラジャー。
【請求項１１】
前記長さを調整する補助部材（41）は、他の部材と連結するためのスリット（42）を設けることを特徴とする請求項１に記載の組合式のブラジャー。
【請求項１２】
前記長さを調整する補助部材（41）は、"８" 字状のフックとなることを特徴とする請求項１１に記載の組合式のブラジャー。
【請求項１３】
更に付加的装飾物を含むことを特徴とする請求項１に記載の組合式のブラジャー。
【請求項１４】
前記付加的装飾物は、装飾チェーン（９）であって、その両端が肩紐（4）と連結することを特徴とする請求項１３に記載の組合式のブラジャー。
【請求項１５】
前記の装飾チェーン（９）は、開けられる留め金（91，92）を設けることを特徴とする請求項１４に記載の組合式のブラジャー。
【考案の詳細な説明】
【技術分野】
【０００１】
本考案は、女性の下着に関して、更に、自在に組合せることができる組合式のブラジャーに関するものである。
【背景技術】
【０００２】
現在の女性下着は、流行アパレルとなっており、しかも下着の種類及びその設計は、非常に多くなっている。毎年、新しいデザインと新しい機能の設計がどんどん登場することによって、現在の女性によって、様々な多くの下着を買うことが必要である。一方、現有の下着は、ほとんど設計された定型の構造であり、標準な部材を採用している場合、取り替える部材が肩紐だけに限られており、使用者は、自分の体型と所望に応じて自分に必要な下着を設計できない。第93224680.X号の中国特許"組合式である美観に優れたブラジャー"には、ブラジャーのカップが取り替えることができ、二つのカップの中間距離も調整でき、即ちアンダーベルトの調整性が大きい組合式で美観に優れたブラジャーを開示している。この技術は、ただ現有技術の一部を克服しているに過ぎず、引っ掛けるフックの連結方式を採用する場合、着用者は不快感を覚えてしまうものであった。一方、前開式の構造を採用しても、所定の程度で使用上の便宜性を限定してしまった。このような技術は、その部材が少なく、組合式の構造を採用しても、消費者は、自由に設計組合の余地があまり大きくない。それによって、ブラジャーデザインの多様化と個人化を限ってしまっていた。
【特許文献１】中国特許第９３２２４６８０.X号
【考案の開示】
【考案が解決しようとする課題】
【０００３】
本考案の目的は、現有技術の欠点を克服して、自在に組合せることができるブラジャーの部材を設計し、自由にブラジャーのデザインも変更可能にし、しかも違和感がないように着用できる組合式ブラジャーを提供することである。
【課題を解決するための手段】
【０００４】
本考案の上記目的を達するために、以下の技術考案を提供することによって実現できる。
本考案は、組合式のブラジャーを提供し、当該組合式のブラジャーの構造は、左右一対のカップ、左右カップの前部を連結する装飾物、カップの側面布を連結しているアンダーベルト、アンダーベルトの他の一端がお互いに連結する背面フックを設けて、カップ上側とアンダーベルトを連結する肩紐を含み、肩紐に長さを調整する補助部材を設けており、前記各部材の間に取り替え可能な構造によって連結され、2本の円弧状のワイヤが、カップの周縁内に挿入されたものである。
【０００５】
本考案は、ブラジャーにおける各部材を独立な構造によって製作し、取り替え可能な構造によって連結でき、消費者は自由に異なるデザインのカップ、アンダーベルト、肩紐、及び装飾物を選ぶことが可能であり、しかも組み合わせを行って、異なるデザインのブラジャーを形成する。更に、自分の体型に適応するカップとアンダーベルトを選択できて、快適に着用することができる。尚、異なる着用の場合によって、さまざまなカップと肩紐を選ぶことができ、デザインが多くなるため使用上においてとても便利である。例えば、モデルは、公演の時、異なる服装によって、自由に取り換えることができ、多くの様々なデザインのブラジャーを用意する必要がない。本考案の他の一つの長所は、同時に前開き式と後開き式の構造を備えており、使用上いっそう便利である。左右一対のカップの中央に装飾物を設置するのは、美観に優れた外観が得られる効果を達成する以外に、左右一対のカップの間の橋渡し構造とすることは、直接左右一対のカップを連結する構造に比較して、その着用がより快適であって、それによって、前胸で圧迫感を受けることがなく、人間工学に合うものである。本考案の構造は、個々の部材を消費者に売ることが可能で、異なるデザインの部材を包装して売ることも可能で、いっそう消費者に便利さをもたらし、市場競争力を高めることが可能である。
【０００６】
本考案は、更に背面フックを2つの部分に作成して、それぞれ２本のアンダーベルトと連結して、背面フックにおける2部分の間及び背面フックとアンダーベルトの間は、並列な引っ掛けフック及び引っ掛けループで連結して、即ち、具体的な構造は、背面フックの一部分に引っ掛けフックを設けて、他の一部が２列以上の引っ掛けループを設けて当該フックとお互いに連結する。このように、着用者は、自由に異なる背面フックを選ぶことができ、アンダーベルトの長さを調整するともに背部の装飾効果を達成することができる。
【０００７】
前記のアンダーベルトは、下側の弾性ベルトと上側折畳ベルトを含む。このような構造は、優れた伸縮性を有して、しかも大きな弾性を受けるため、着用者の背部に圧迫感をもたらすことがない。人間工学の設計に合っており、着用にも快適となる。
【０００８】
前記の装飾物は、正面の装飾構造と背面のW字状のフックを含み、二つのカップの前胸部分は、フック具を設けてW字状のフックと連結する。W字状のフックは、高い安定性があるため、ブラジャーが着用中に緩むことがなく、変形もしない、しかもカップ間の連結幅を減らしており、それによって、いっそうな快適感をもたらした。
【０００９】
各部材の連結の安定性を高めて、ブラジャーの各部材を着用中に弛みと変形を起こさないことを保障するために、本考案のアンダーベルトは、左右の一対カップとの間、肩紐とアンダーベルト及び左右の一対カップとの間は、"９" 字状のフックによって連結する。"９" 字状のフックの環状部分は三角形を呈して、内側は、隔離凸部を設けて、フック尾端は、鉤形のフックを設けて、フック部と相対する環状部分の外側が凸部を設ける三角形の一辺は、肩紐のずれ落ちを阻止することができる
【００１０】
取り換え可能な弧状のワイヤは、着用者の選択性に便利をもたらして、一方、洗濯中にワイヤを取り外して、ワイヤの変形を防止してまた防錆効果も生じる。
【００１１】
肩紐上の長さを調整する補助部材は、一般に"８" 字状のフックを採用して、他の部材と連結するためのスリットを設ける。美観の効果を増加するために、ブラジャーは更に付加の装飾物を含み、例えば、装飾チェーン等、開けることが可能な留め金フックで二条の肩紐上の"８" 字状のフックと連結することができる。  
【００１２】
本考案は、多様化の構造設計を備えて、着用者は自由に適当な部材を選ぶことができ、異なるデザインのブラジャーと組み合わせて、使用上に自在でいっそうの人間化を有する。各部材は縫い付ける必要がなく、生産プロセスを簡単化し、加工効率を高める。ブラジャーの構造設計には、着用者の違和感を考えて、特にこれに対して構造を改良する。同時に構造安定性を考えて、構造の連結性を強めて、容易に弛みと変形を起こさない。本設計は、実際の着用上の需要に従って、基本部材の増加または減らしを行って、スタイルにいっそう多様化をさせる。本考案は同時に多様化、人間化、快適化、安定化等の長所を備えて、現有の技術と比較して、優れた実質上の特徴と進歩がある。
【考案の効果】
【００１３】
上述の説明から明らかなように、本考案のデザインにおける組合式ブラジャーは、着用者に対して、便利で自由に各種デザインの部材を選ぶことが可能であり、特別なスタイルで自分の体型に適応するブラジャーを組合せることができる。同時に前開き式と背面開き式を備える構造は、大いに使用上に便利性をもたらす。各種特別で安定性と快適設計の連結部材を備えて、ブラジャーの質量を保証する。本考案は、上記具体的な実施例に何ら限定されない。消費者は、具体的な需要に従って、相対の部材を増やすまたは減らすことが可能である。
【考案を実施するための最良の形態】
【００１４】
以下、この考案の実施の形態を、実施例を示す図面にしたがって説明する。
図１に示されるような組合式のブラジャーの構造は、左右一対のカップ１を含み、対称を呈して、しかも左右カップの前部を連結する装飾物２を有する。二本のアンダーベルト３が、"９" 字状のフック７によってカップ１の側面布を連結して、アンダーベルト３の他の一端がお互いに連結している背面フック５を設ける。二本の肩紐４は、カップ１上側とアンダーベルト３を連結することに用いられて、肩紐４の両端の"９" 字状のフック８によって連結する。カップ１の下縁に2本円弧状のワイヤ６を挿入することができて、図面に示される矢印のように。前記カップ１、装飾物２、アンダーベルト３、肩紐４、背面フック５及びワイヤ６は、取り外して、自由に組合せることができる。消費者は、店で各種の部材を買うことが可能で、例えば、３/４また１/２のカップ１、さまざまなデザインの装飾物２、異なる長さ、弾性或いは種類のアンダーベルト３、異なる色、種類或いは透明の肩紐４、一体式或いは分体式の背面フック５、ワイヤ６の軟性またその硬性によってワイヤ６を増加する必要があるかどうかのこと等が可能である。消費者は自分の体型、趣味またスタイルの設計に従って、ブラジャー種類で、下着を人間化、多様化と個性化を可能にする。店も、前記の部材を独立の包装に製造させて、各々販売して、新型の下着販売モードを形成する。
【００１５】
図２に示されるようなカップを選ばれた構造は、３/４カップのブラジャーとなって、カップの前胸部分は、装飾物と連結するフック具１２を設けて、カップの上端に肩紐"９" 字状のフックと合うフック具１４を設けて、快適に着用するために、フック具１２、１４の長さが比較的短く、各部材の間にいっそう大きな空間を有する。カップの側面布は、"９" 字状のフックと連結するフック具１３を設けて、構造の安定性を高め、同時組み合わせた時の各部材が相対に弛みを起こさせないために、フック具１３の長さは比較的に長い、それによって、着用中、アンダーベルトを水平状態させることが保障でき、着用中の快適感と安定感を高める。左右一対のカップの下に溝構造１６を設けて、おのおの弧状のワイヤを入ることに用いられる。異なるデザインのブラジャーにとって、ワイヤが自由に選ばれる部材となる。溝構造１６の一側は、開き口式の構造を採用して、消費者は、実際の需要によって異なるデザインの弧状なワイヤを挿入また取り替え可能である。
【００１６】
図３は装飾物の正裏面構造を示して、装飾物の正面は、主に美観装飾の作用を達する。図３の左側視図は、花弁構造の装飾物２１となっている。裏面は、連結構造として使用されて、図３の右側視図に示されるように、それがW字形のフック２２となって、カップのフック具１２に用いられて取り替えることが可能である。消費者は、自分の好みで好きなデザインの装飾物を選ぶことが可能であり、ブラジャーに優れた美観をもたらし、しかも取り替え可能な構造は、ブラジャーの前開き式の機能を実現して、便利に使用することが可能である。
【００１７】
アンダーベルト３の構造は、図４に示されるように、アンダーベルト３の一端が、"９" 字状のフック７と連結するためのフック具３７を設けて、他の一端が、背面フックの一対引っ掛けフック３５を設けて、上縁は、肩紐と連結するための"９" 字状のフックを連結するフック具３８を設ける。"９" 字状のフック７の構造は図５に示されるように、環状部分７１とフック部７２を含み、フック部７２の尾端に、鉤形のフック７３を設けて、このような構造は、アンダーベルトとブラジャー間の連結の安定性を保証し、しかもその連結が緩まない。図６に示されるように、アンダーベルト３の全体は、広扁形を呈して、下側の弾性ベルト３２と上側折畳ベルト３１を含み、上側折畳ベルト３１は、オルガン模様の構造を呈する。これらの二つ側の構造は、アンダーベルト３がいっそうの伸縮空間を備えることを保証し、同時に弾性が大きすぎないため、着用において不快感を起こさせない。
【００１８】
背面フックは２部分を含み、それぞれ２本のアンダーベルトと連結する。図７に示されるように、第一部分５２は、比較的短く、その一端にアンダーベルトの引っ掛けフック３５と相応する一対の引っ掛けループ５３を設け、上面には、第二部分５１と連結する一対の引っ掛けフック５５を設ける。第二部分５１は、比較的長く、同様にその一端にアンダーベルトの引っ掛けフック３５と相応する一対の引っ掛けループ５３を設け、上面には、引っ掛けフック５５と相応する二対の引っ掛けフープ５４を設け、着用時の伸縮性を調整することに用いられる。これらの構造は、ブラジャーの背開き式の構造を実現するため、消費者は、自由に着用して取り外すことができる。
【００１９】
弧状のワイヤ６の構造は、図８に示されるように、ワイヤの両端は逆丸形の構造であり、着用の快適性を高め、着用者を傷つけない。
【００２０】
図９は、本設計の肩紐の構造を示し、肩紐の中間には、長さの調整補助部材４１を設け、それが肩紐の長さを調整することに用いられて、体型が異なる着用者に適応することを保証する。肩紐の両端は、"９" 字状のフック８を設けて、それぞれブラジャーの上端とアンダーベルトと連結する。
【００２１】
"９" 字状のフック８の具体な構造は、図１０と図１１に示される。図１０は、第１の実施例であって、"９" 字状のフック８の構造は、三角形の環状部分８１とフック部８２を含み、三角形の環状部分８１の内側は、隔離凸部８３を設けて、フック部８２の尾端は、鉤形のフック８４を設ける。このような構造は、着用中に肩紐のずれ落ちにくいことを保証し、着用の快適性を高めることができる。図１１は、更にいっそうの改良した構造を提供し、フック部８２と相対する環状部分８１の外側は、二つの凸部８５を設けて、それは、同時に"９" 字状のフック８とフック具の間の組合安定性を保証する。
【００２２】
図１２に示されるのは、他の選択されるカップの構造であって、１/２カップのブラジャーである。カップの前胸部分は、装飾物と連結するフック具１２を設けて、カップの上端に肩紐"９" 字状のフックと合うフック具１４を設けて、快適に着用するために、フック具１２、１４の長さが比較に短く、各部材の間にいっそう大きな空間を有する。カップの側面布は、"９" 字状のフックと連結するフック具１３を設けて、構造の安定性を高め、同時に組み合わせた時の各部材が相対に弛みを起こさせないように、フック具１３の長さは比較的長く、それによって、着用中、アンダーベルトを水平状態させることを保障でき、着用中の快適感と安定感を高める。左右一対のカップの下に溝構造１６を設けて、おのおの弧状のワイヤを入ることに用いられる。異なるデザインのブラジャーにとって、ワイヤが自由に選ばれる部材となる。溝構造１６の一側は、開き口式の構造を採用して、消費者は、実際の需要によって異なるデザインの弧状なワイヤを挿入また取り替え可能である。
【００２３】
図１３は、他の種類の装飾物の正裏面構造を示し、装飾物の正面は、主に美観装飾の作用を達する。図１３の左側視図は、蝶構造の装飾物２１となっている。裏面は、連結構造として使用されて、図１３の右側視図に示されるように、それがW字形のフック２２となって、カップのフック具１２に用いられて取り替えられる。
【００２４】
他の簡単なアンダーベルト３の構造は、図１４に示される。アンダーベルト３の一端は、"９" 字状のフック７のフック具３７を設け、他の一端に、背面フックの一対引っ掛けフック３５を設け、上縁に、肩紐と連結するための"９" 字状のフックを連結するフック具３８を設けて、前記アンダーベルト３は、異なる簡単な弾性ベルトの構造となる。
【００２５】
本考案は、他の付加部材、例えばさまざまな装飾物等を増やすことができる。図１５は、他のデザインのブラジャーの装飾チェーン９を示し、装飾チェーン９の両端は、開けられる留め金フック９１、９２を設け、それぞれ肩紐である肩紐上の"８" 字状のフックのスリット４２と連結する。
【００２６】
新しい部材の組合せを採用した構造は、図１６に示され、当該構造は、二つの１/２カップ１を含み、対称構造を呈して、蝶状の装飾物２によって前胸部分を連結する。２本のアンダーベルト３は、"９" 字状のフック７によってカップ１の側面布と連結し、アンダーベルト３の他の一端には、お互いに連結する背面フック５を設ける。２本の肩紐４は、カップ１上側とアンダーベルト３を連結することに用いられて、肩紐４の両端の"９" 字状のフック８によって連結される（図９に示される）。装飾チェーン９は、開放可能な留め金フック９１、９２によって、それぞれ長さの調整補助部材４１のスリット４２と連結する。カップ１の下縁は弧状のワイヤをいれない。
【００２７】
図１７は、肩紐なしの組合ブラジャーの構造を示して、当該構造は、二つの１/２カップ１を含み、対称構造を呈して、花弁構造の装飾物２によって前胸部分を連結する。２本のアンダーベルト３は、"９" 字状のフック７によってカップ１の側面布と連結して、アンダーベルト３の他の一端には、お互いに連結する背面フック５を設ける。着用中にブラジャーが緩まないように保証するために、アンダーベルト３は、図４と図６に示される二つ側の弾性ベルトの構造を採用する。
【図面の簡単な説明】
【００２８】
【図１】図１は、本考案の結構を示す図である。
【図２】図２は、カップの結構を示す図である。
【図３】図３は、装飾物の正反面を示す図である。
【図４】図４は、アンダーベルトの結構を示す図である。
【図５】図５は、アンダーベルトである"９" 字状のフックの結構を示す図である。
【図６】図６は、アンダーベルトの結構を示す側面図である。
【図７】図７は、背面フックの結構を示す図である。
【図８】図８は、ワイヤの結構を示す図である。
【図９】図９は、肩紐の結構を示す図である。
【図１０】図１０は、 "９" 字状のフックの第１実施例における結構を示す図である。
【図１１】図１１は、肩紐"９" 字状のフックの第２実施例における結構を示す図である。
【図１２】図１２は、本考案における他のカップの結構を示す図である。
【図１３】図１３は、本考案における他の装飾物の正反面を示す図である。
【図１４】図１４は、本考案における他のアンダーベルトの結構を示す図である。
【図１５】図１５は、本考案における装飾チェーンの結構を示す図である。
【図１６】図１６は、本考案における第二組合の結構を示す図である。
【図１７】図１７は、本考案における第三組合の結構を示す図である。
【符号の説明】
【００２９】
１カップ
２装飾物
３アンダーベルト
４肩紐
５背面フック
６ワイヤ
７"９" 字状のフック
８"９" 字状のフック
９装飾チェーン
１２フック具
１３フック具
１４フック具
１６溝構造
２１装飾物
２２W字形のフック
３１上側折畳ベルト
３２下側の弾性ベルト
３５引っ掛けフック
３７フック具
３８フック具
４１長さの調整補助部材
４２スリット
５１第二部分
５２第一部分
５３引っ掛けループ
５４引っ掛けループ
５５引っ掛けフック
７１環状部分
７２フック部
７３鉤形のフック
８１環状部分
８２フック部
８３隔離凸部
８４鉤形のフック
８５凸部
９１留め金フック
９２留め金フック
【図１】
0003144003.tif 000003
【図２】
0003144003.tif 000004
【図３】
0003144003.tif 000005
【図４】
0003144003.tif 000006
【図５】
0003144003.tif 000007
【図６】
0003144003.tif 000008
【図７】
0003144003.tif 000009
【図８】
0003144003.tif 000010
【図９】
0003144003.tif 000011
【図１０】
0003144003.tif 000012
【図１１】
0003144003.tif 000013
【図１２】
0003144003.tif 000014
【図１３】
0003144003.tif 000015
【図１４】
0003144003.tif 000016
【図１５】
0003144003.tif 000017
【図１６】
0003144003.tif 000018
【図１７】
0003144003.tif 000019
【手続補正書】
【提出日】平成20年6月10日(2008.6.10)
【手続補正１】
【補正対象書類名】実用新案登録請求の範囲
【補正対象項目名】全文
【補正方法】変更
【補正の内容】
【実用新案登録請求の範囲】
【請求項１】
組合式のブラジャーであって、それは、
左右一対のカップ（1）、
左右カップの前胸部分を連結する装飾物（2,21）、
カップの側面布を連結しているアンダーベルト（3）、アンダーベルトの他の一端がお互いに連結する背面フック（5）を設けて、
カップ上側とアンダーベルトを連結する肩紐（4）を含み、肩紐に長さを調整する補助部材（41）を設けて、
前記各部材間が取り替え可能な構造によって連結され、
左右一対のカップの下縁に弧状のワイヤを入られるための溝構造（16）を設けることを特徴とする。
【請求項２】
前記の背面フック（5）は、２部分を含み、それぞれ２本のアンダーベルト（3）と連結することを特徴とする請求項１に記載の組合式のブラジャー。
【請求項３】
前記のアンダーベルト（3）は、下側の弾性ベルト（32）と上側折畳ベルト（31）を含むことを特徴とする請求項１に記載の組合式のブラジャー。
【請求項４】
前記の装飾物（2,21）は、正面の装飾構造と背面のW字状のフック（22）を含み、二つのカップの前胸部分は、フック具（12）を設けてW字状のフック（22）と連結することを特徴とする請求項１に記載の組合式のブラジャー。
【請求項５】
前記アンダーベルト（3）と左右の一対カップ（1）との間、肩紐（4）とアンダーベルト（3）及び左右の一対カップ（1）との間は、"９" 字状のフック（7，8）によって連結することを特徴とする請求項１に記載の組合式のブラジャー。
【請求項６】
前記"９" 字状のフック（7，8）の環状部分（81）は三角形を呈して、内側には隔離凸部（83）を設けて、フック尾端は、鉤形のフック（84）を設けることを特徴とする請求項５に記載の組合式のブラジャー。
【請求項７】
前記"９" 字状のフック（7，8）は、フック部（82）と相対する環状部分（81）の外側が凸部（85）を設けることを特徴とする請求項５に記載の組合式のブラジャー。
【請求項８】
前記背面フック（5）における2部分の間及び背面フックとアンダーベルト（3）の間は、並列な引っ掛けフック（35，55）と引っ掛けループ（53，54）で連結することを特徴とする請求項２に記載の組合式のブラジャー。
【請求項９】
前記背面フック（5）の一部分が引っ掛けフックを設け、他の一部が２列以上の引っ掛けループを設けて当該フックと互いに連結することを特徴とする請求項６に記載の組合式のブラジャー。
【請求項１０】
組合式のブラジャーであって、それは、二本の弧状のワイヤ（６）を含むことを特徴とする請求項１に記載の組合式のブラジャー。
【請求項１１】
前記長さを調整する補助部材（41）は、他の部材と連結するためのスリット（42）を設けることを特徴とする請求項１に記載の組合式のブラジャー。
【請求項１２】
前記長さを調整する補助部材（41）は、"８" 字状のフックとなることを特徴とする請求項１１に記載の組合式のブラジャー。
【請求項１３】
更に付加的装飾物を含むことを特徴とする請求項１に記載の組合式のブラジャー。
【請求項１４】
前記付加的装飾物は、装飾チェーン（９）であって、その両端が肩紐（4）と連結することを特徴とする請求項１３に記載の組合式のブラジャー。
【請求項１５】
前記の装飾チェーン（９）は、開けられる留め金（91，92）を設けることを特徴とする請求項１４に記載の組合式のブラジャー。